【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
カメラに設けられたカメラ側マウントに対して取り外し可能に結合されるアクセサリ側マウントを有するカメラアクセサリであって、
前記アクセサリ側マウントは、アクセサリ側バヨネット爪を有し、該アクセサリ側バヨネット爪が前記カメラ側マウントに設けられた複数のカメラ側バヨネット爪の間に挿入された第１の状態から前記カメラ側マウントと相対回転されることにより、前記アクセサリ側バヨネット爪と前記カメラ側バヨネット爪とが係合して前記カメラ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のアクセサリ側接点面と前記複数のカメラ側接点ピンとが接触することで該カメラアクセサリと前記カメラとが電気的に接続されるようになっており、
前記複数のカメラ側接点ピンは、前記第１の状態において前記アクセサリ側接点面を含む前記アクセサリ側接点保持部に当接する第１のカメラ側接点ピンと、前記第１の状態において前記アクセサリ側接点面を含む前記アクセサリ側接点保持部に当接しない複数の第２のカメラ側接点ピンとを含み、前記複数のアクセサリ側接点面は、前記第２の状態において前記第１のカメラ側接点ピンに接触する第１のアクセサリ側接点面と、前記第２の状態において前記第１のカメラ側接点ピンに接触しない第２のアクセサリ側接点面とを含み、
前記相対回転方向において、前記第１のアクセサリ側接点面とこれに隣り合う前記第２のアクセサリ側接点面との間のピッチが、互いに隣り合う前記第２のアクセサリ側接点面間のピッチよりも大きいことを特徴とするカメラアクセサリ。
【請求項２】
前記相対回転方向において、前記第１のアクセサリ側接点面とこれに隣り合う前記第２のアクセサリ側接点面との間の間隔が、互いに隣り合う前記第２のアクセサリ側接点面間の間隔よりも大きいことを特徴とする請求項１に記載のカメラアクセサリ。
【請求項３】
前記相対回転方向において、前記第１のアクセサリ側接点面の幅が、前記第２のアクセサリ側接点面の幅よりも大きいことを特徴とする請求項１または２に記載のカメラアクセサリ。
【請求項４】
複数の前記第１のアクセサリ側接点面を有しており、
前記相対回転方向において、互いに隣り合う前記第１のアクセサリ側接点面間のピッチが、互いに隣り合う前記第２のアクセサリ側接点面間のピッチよりも大きいことを特徴とする請求項１から３のいずれか１項に記載のカメラアクセサリ。
【請求項５】
複数の前記第１のアクセサリ側接点面を有しており、
前記相対回転方向において、互いに隣り合う前記第１のアクセサリ側接点面のピッチが、互いに隣り合う前記第２のアクセサリ側接点面のピッチよりも大きいことを特徴とする請求項１から４のいずれか１項に記載のカメラアクセサリ。
【請求項６】
カメラに設けられたカメラ側マウントに対して取り外し可能に結合されるアクセサリ側マウントを有するカメラアクセサリであって、
前記アクセサリ側マウントは、アクセサリ側バヨネット爪を有し、該アクセサリ側バヨネット爪が前記カメラ側マウントに設けられた複数のカメラ側バヨネット爪の間に挿入された第１の状態から前記カメラ側マウントと相対回転されることにより、前記アクセサリ側バヨネット爪と前記カメラ側バヨネット爪とが係合して前記カメラ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のアクセサリ側接点面と前記複数のカメラ側接点ピンとが接触することで該カメラアクセサリと前記カメラとが電気的に接続されるようになっており、
前記複数のカメラ側接点ピンは、前記第１の状態において前記アクセサリ側接点面を含む前記アクセサリ側接点保持部に当接する第１のカメラ側接点ピンと、前記第１の状態において前記アクセサリ側接点面を含む前記アクセサリ側接点保持部に当接しない複数の第２のカメラ側接点ピンとを含み、前記複数のアクセサリ側接点面は、前記第２の状態において前記第１のカメラ側接点ピンに接触する第１のアクセサリ側接点面と、前記第２の状態において前記第１のカメラ側接点ピンに接触しない第２のアクセサリ側接点面とを含み、
前記相対回転方向において、前記第１のアクセサリ側接点面とこれに隣り合う前記第２のアクセサリ側接点面との間の間隔が、互いに隣り合う前記第２のアクセサリ側接点面間の間隔よりも大きいことを特徴とするカメラアクセサリ。
【請求項７】
前記相対回転方向において、前記第１のアクセサリ側接点面の幅が、前記第２のアクセサリ側接点面の幅よりも大きいことを特徴とする請求項６に記載のカメラアクセサリ。
【請求項８】
複数の前記第１のアクセサリ側接点面を有しており、
前記相対回転方向において、互いに隣り合う前記第１のアクセサリ側接点面間の間隔が、互いに隣り合う前記第２のアクセサリ側接点面間の間隔よりも大きいことを特徴とする請求項６または７に記載のカメラアクセサリ。
【請求項９】
複数の前記第１のアクセサリ側接点面を有しており、
前記相対回転方向において、互いに隣り合う前記第１のアクセサリ側接点面の間隔が、互いに隣り合う前記第２のアクセサリ側接点面の間隔よりも大きいことを特徴とする請求項６から８のいずれか１項に記載のカメラアクセサリ。
【請求項１０】
カメラに設けられたカメラ側マウントに対して取り外し可能に結合されるアクセサリ側マウントを有するカメラアクセサリであって、
前記アクセサリ側マウントは、アクセサリ側バヨネット爪を有し、該アクセサリ側バヨネット爪が前記カメラ側マウントに設けられた複数のカメラ側バヨネット爪の間に挿入された第１の状態から前記カメラ側マウントと相対回転されることにより、前記アクセサリ側バヨネット爪と前記カメラ側バヨネット爪とが係合して前記カメラ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のアクセサリ側接点面と前記複数のカメラ側接点ピンとが接触することで該カメラアクセサリと前記カメラとが電気的に接続されるようになっており、
前記複数のカメラ側接点ピンは、前記第１の状態において前記アクセサリ側接点面を含む前記アクセサリ側接点保持部に当接する第１のカメラ側接点ピンと、前記第１の状態において前記アクセサリ側接点面を含む前記アクセサリ側接点保持部に当接しない複数の第２のカメラ側接点ピンとを含み、前記複数のアクセサリ側接点面は、前記第２の状態において前記第１のカメラ側接点ピンに接触する第１のアクセサリ側接点面と、前記第２の状態において前記第１のカメラ側接点ピンに接触しない第２のアクセサリ側接点面とを含み、
前記相対回転方向において、前記第１のアクセサリ側接点面の幅が、前記第２のアクセサリ側接点面の幅よりも大きいことを特徴とするカメラアクセサリ。
【請求項１１】
前記第２のカメラ側接点ピンおよび前記第２のアクセサリ側接点面は、前記第２の状態において互いに接触する第３のカメラ側接点ピンおよび第３のアクセサリ側接点面をそれぞれ含み、
前記第１のアクセサリ側接点面は、前記アクセサリ側マウントの前記第１の状態から前記第２の状態への前記カメラ側マウントとの相対回転中において、前記第３のアクセサリ側接点面と前記第３のカメラ側接点ピンとが接触を開始するよりも早く又はそれと同時に前記第１のカメラ側接点ピンとの接触を開始するように設けられていることを特徴とする請求項１から１０のいずれか一項に記載のカメラアクセサリ。
【請求項１２】
前記相対回転方向において、前記第１のアクセサリ側接点面のうち前記相対回転中に前記第１のカメラ側接点ピンとの接触を開始する部分と前記第３のアクセサリ側接点面のうち前記相対回転中に前記第３のカメラ側接点ピンとの接触を開始する部分との間の距離が、前記第１のカメラ側接点ピンと前記第３のカメラ側接点ピンとの間の距離より小さい又は該距離と同じであることを特徴とする請求項１１に記載のカメラアクセサリ。
【請求項１３】
前記第１のアクセサリ側接点面および前記第１のカメラ側接点ピンは、前記カメラに装着された該カメラアクセサリの種類の判定に用いる信号を該カメラアクセサリから前記カメラに入力するために設けられており、
前記第３のアクセサリ側接点面および前記第３のカメラ側接点ピンは、前記カメラに対する該カメラアクセサリの装着の検出に用いる信号を該カメラアクセサリから前記カメラに入力するために設けられていることを特徴とする請求項１１または１２に記載のカメラアクセサリ。
【請求項１４】
カメラアクセサリに設けられたアクセサリ側マウントが取り外し可能に結合されるカメラ側マウントを有するカメラであって、
前記カメラ側マウントは、複数のカメラ側バヨネット爪を有し、該複数のカメラ側バヨネット爪の間に前記アクセサリ側マウントに設けられたアクセサリ側バヨネット爪が挿入された第１の状態から前記アクセサリ側マウントと相対回転されることにより、前記カメラ側バヨネット爪と前記アクセサリ側バヨネット爪とが係合して前記アクセサリ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のカメラ側接点ピンと前記複数のアクセサリ側接点面とが接触することで該カメラと前記カメラアクセサリとが電気的に接続されるようになっており、
前記複数のカメラ側接点ピンは、前記第１の状態において前記アクセサリ側接点面を含む前記アクセサリ側接点保持部に当接する第１のカメラ側接点ピンと、前記第１の状態において前記アクセサリ側接点面を含む前記アクセサリ側接点保持部に当接しない複数の第２のカメラ側接点ピンとを含み、
前記相対回転方向において、前記第１のカメラ側接点ピンとこれに隣り合う前記第２のカメラ側接点ピンとの間のピッチが、互いに隣り合う前記第２のカメラ側接点ピン間のピッチよりも大きいことを特徴とするカメラ。
【請求項１５】
複数の前記第１のカメラ側接点ピンを有しており、
前記相対回転方向において、互いに隣り合う前記第１のカメラ側接点ピン間のピッチが、互いに隣り合う前記第２のカメラ側接点ピン間のピッチよりも大きいことを特徴とする請求項１４に記載のカメラ。
【請求項１６】
前記複数のアクセサリ側接点面は、前記第２の状態において前記第１のカメラ側接点ピンに接触する第１のアクセサリ側接点面と、前記第２の状態において前記第１のカメラ側接点ピンに接触しない第２のアクセサリ側接点面とを含み、
前記第２のカメラ側接点ピンおよび前記第２のアクセサリ側接点面は、前記第２の状態において互いに接触する第３のカメラ側接点ピンおよび第３のアクセサリ側接点面をそれぞれ含んでおり、
前記第１のカメラ側接点ピンは、前記カメラ側マウントの前記第１の状態から前記第２の状態への前記アクセサリ側マウントとの相対回転中において、前記第３のカメラ側接点ピンと前記第３のアクセサリ側接点面とが接触を開始するよりも早く又はそれと同時に前記第１のアクセサリ側接点面との接触を開始するように設けられていることを特徴とする請求項１４または１５に記載のカメラ。
【請求項１７】
カメラアクセサリに設けられたアクセサリ側マウントが取り外し可能に結合されるカメラ側マウントを有するカメラであって、
前記カメラ側マウントは、複数のカメラ側バヨネット爪を有し、該複数のカメラ側バヨネット爪の間に前記アクセサリ側マウントに設けられたアクセサリ側バヨネット爪が挿入された第１の状態から前記アクセサリ側マウントと相対回転されることにより、前記カメラ側バヨネット爪と前記アクセサリ側バヨネット爪とが係合して前記アクセサリ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のカメラ側接点ピンと前記複数のアクセサリ側接点面とが接触することで該カメラと前記カメラアクセサリとが電気的に接続されるようになっており、
前記複数のカメラ側接点ピンは、前記第１の状態において前記アクセサリ側接点面を含む前記アクセサリ側接点保持部に当接する第１のカメラ側接点ピンと、前記第１の状態において前記アクセサリ側接点面を含む前記アクセサリ側接点保持部に当接しない複数の第２のカメラ側接点ピンとを含み、前記複数のアクセサリ側接点面は、前記第２の状態において前記第１のカメラ側接点ピンに接触する第１のアクセサリ側接点面と、前記第２の状態において前記第１のカメラ側接点ピンに接触しない第２のアクセサリ側接点面とを含み、
前記カメラ側マウントは、
前記相対回転方向において、前記第１のアクセサリ側接点面とこれに隣り合う前記第２のアクセサリ側接点面との間の間隔が、互いに隣り合う前記第２のアクセサリ側接点面との間の間隔よりも大きい前記アクセサリ側マウント、および、
前記相対回転方向において、前記第１のアクセサリ側接点面の幅が前記第２のアクセサリ側接点面の幅よりも大きい前記アクセサリ側マウントのうち少なくとも一方が結合されることを特徴とするカメラ。
【請求項１８】
前記第２のカメラ側接点ピンおよび前記第２のアクセサリ側接点面は、前記第２の状態において互いに接触する第３のカメラ側接点ピンおよび第３のアクセサリ側接点面をそれぞれ含んでおり、
前記第１のカメラ側接点ピンは、前記カメラ側マウントの前記第１の状態から前記第２の状態への前記アクセサリ側マウントとの相対回転中において、前記第３のカメラ側接点ピンと前記第３のアクセサリ側接点面とが接触を開始するよりも早く又はそれと同時に前記第１のアクセサリ側接点面との接触を開始するように設けられていることを特徴とする請求項１７に記載のカメラ。
【請求項１９】
前記相対回転方向において、前記第１のカメラ側接点ピンと前記第３のカメラ側接点ピンとの間の距離が、前記第１のアクセサリ側接点面のうち前記相対回転中に前記第１のカメラ側接点ピンとの接触を開始する部分と前記第３のアクセサリ側接点面のうち前記相対回転中に前記第３のカメラ側接点ピンとの接触を開始する部分との間の距離より大きい又は該距離と同じであることを特徴とする請求項１６または１８に記載のカメラ。
【請求項２０】
前記第１のアクセサリ側接点面および前記第１のカメラ側接点ピンは、該カメラに装着された前記カメラアクセサリの種類の判定に用いる信号を前記カメラアクセサリから該カメラに入力するために設けられており、
前記第３のアクセサリ側接点面および前記第３のカメラ側接点ピンは、該カメラに対する前記カメラアクセサリの装着の検出に用いる信号を前記カメラアクセサリから該カメラに入力するために設けられていることを特徴とする請求項１６、１８および１９のいずれか一項に記載のカメラ。
【手続補正２】
【補正対象書類名】明細書
【補正対象項目名】０００８
【補正方法】変更
【補正の内容】
【０００８】
本発明の一側面としてのカメラアクセサリは、カメラに設けられたカメラ側マウントに対して取り外し可能に結合されるアクセサリ側マウントを有する。該カメラアクセサリにおいて、アクセサリ側マウントは、アクセサリ側バヨネット爪を有し、該アクセサリ側バヨネット爪がカメラ側マウントに複数設けられたカメラ側バヨネット爪の間に挿入された第１の状態からカメラ側マウントと相対回転されることにより、アクセサリ側バヨネット爪とカメラ側バヨネット爪とが係合してカメラ側マウントとの結合を完了する第２の状態となる。アクセサリ側マウントに設けられたアクセサリ側接点保持部は、アクセサリ側およびカメラ側マウントの相対回転方向に配置された複数のアクセサリ側接点面を保持する。カメラ側マウントに設けられたカメラ側接点保持部は、相対回転方向に配置された複数のカメラ側接点ピンを突出引込み方向に移動可能に保持している。第２の状態において、複数のアクセサリ側接点面と複数のカメラ側接点ピンとが接触することで該カメラアクセサリとカメラとが電気的に接続される。複数のカメラ側接点ピンは、第１の状態においてアクセサリ側接点面を含むアクセサリ側接点保持部に当接する第１のカメラ側接点ピンと、第１の状態においてアクセサリ側接点面を含むアクセサリ側接点保持部に当接しない複数の第２のカメラ側接点ピンとを含み、複数のアクセサリ側接点面は、第２の状態において第１のカメラ側接点ピンに接触する第１のアクセサリ側接点面と、第２の状態において第１のカメラ側接点ピンに接触しない第２のアクセサリ側接点面とを含み、相対回転方向において、第１のアクセサリ側接点面とこれに隣り合う第２のアクセサリ側接点面との間のピッチが、互いに隣り合う第２のアクセサリ側接点面間のピッチよりも大きいことを特徴とする。
【手続補正３】
【補正対象書類名】明細書
【補正対象項目名】０００９
【補正方法】変更
【補正の内容】
【０００９】
また、本発明の他の一側面としてのカメラアクセサリは、カメラに設けられたカメラ側マウントに対して取り外し可能に結合されるアクセサリ側マウントを有する。該カメラアクセサリにおいて、アクセサリ側マウントは、アクセサリ側バヨネット爪を有し、該アクセサリ側バヨネット爪がカメラ側マウントに設けられた複数のカメラ側バヨネット爪の間に挿入された第１の状態からカメラ側マウントと相対回転されることにより、アクセサリ側バヨネット爪とカメラ側バヨネット爪とが係合してカメラ側マウントとの結合を完了する第２の状態となる。アクセサリ側マウントに設けられたアクセサリ側接点保持部は、アクセサリ側およびカメラ側マウントの相対回転方向に配置された複数のアクセサリ側接点面を保持し、カメラ側マウントに設けられたカメラ側接点保持部は、相対回転方向に配置された複数のカメラ側接点ピンを突出引込み方向に移動可能に保持する。第２の状態において、複数のアクセサリ側接点面と複数のカメラ側接点ピンとが接触することで該カメラアクセサリとカメラとが電気的に接続される。複数のカメラ側接点ピンは、第１の状態においてアクセサリ側接点面を含むアクセサリ側接点保持部に当接する第１のカメラ側接点ピンと、第１の状態においてアクセサリ側接点面を含むアクセサリ側接点保持部に当接しない複数の第２のカメラ側接点ピンとを含み、複数のアクセサリ側接点面は、第２の状態において第１のカメラ側接点ピンに接触する第１のアクセサリ側接点面と、第２の状態において第１のカメラ側接点ピンに接触しない第２のアクセサリ側接点面とを含み、相対回転方向において、第１のアクセサリ側接点面とこれに隣り合う第２のアクセサリ側接点面との間の間隔が、互いに隣り合う複数の第２のアクセサリ側接点面との間の間隔よりも大きいことを特徴とする。
【手続補正４】
【補正対象書類名】明細書
【補正対象項目名】００１０
【補正方法】変更
【補正の内容】
【００１０】
さらに、本発明の一側面としてのカメラアクセサリは、カメラに設けられたカメラ側マウントに対して取り外し可能に結合されるアクセサリ側マウントを有する。該カメラアクセサリにおいて、アクセサリ側マウントは、アクセサリ側バヨネット爪を有し、該アクセサリ側バヨネット爪がカメラ側マウントに複数設けられたカメラ側バヨネット爪の間に挿入された第１の状態からカメラ側マウントと相対回転されることにより、アクセサリ側バヨネット爪とカメラ側バヨネット爪とが係合してカメラ側マウントとの結合を完了する第２の状態となる。アクセサリ側マウントに設けられたアクセサリ側接点保持部は、アクセサリ側およびカメラ側マウントの相対回転方向に配置された複数のアクセサリ側接点面を保持する。カメラ側マウントに設けられたカメラ側接点保持部は、相対回転方向に配置された複数のカメラ側接点ピンを突出引込み方向に移動可能に保持している。第２の状態において、複数のアクセサリ側接点面と複数のカメラ側接点ピンとが接触することで該カメラアクセサリとカメラとが電気的に接続される。複数のカメラ側接点ピンは、第１の状態においてアクセサリ側接点面を含めたアクセサリ側接点保持部に当接する第１のカメラ側接点ピンと、第１の状態においてアクセサリ側接点面を含むアクセサリ側接点保持部に当接しない複数の第２のカメラ側接点ピンとを含み、複数のアクセサリ側接点面は、第２の状態において第１のカメラ側接点ピンに接触する第１のアクセサリ側接点面と、第２の状態において第１のカメラ側接点ピンに接触しない第２のアクセサリ側接点面とを含み、相対回転方向において、第１のアクセサリ側接点面の幅が、第２のアクセサリ側接点面の幅よりも大きいことを特徴とする。
【手続補正５】
【補正対象書類名】明細書
【補正対象項目名】００１１
【補正方法】変更
【補正の内容】
【００１１】
また、本発明の他の一側面としてのカメラは、カメラアクセサリに設けられたアクセサリ側マウントが取り外し可能に結合されるカメラ側マウントを有する。該カメラにおいて、カメラ側マウントは、複数のカメラ側バヨネット爪を有し、該複数のカメラ側バヨネット爪の間にアクセサリ側マウントに設けられたアクセサリ側バヨネット爪が挿入された第１の状態からアクセサリ側マウントと相対回転されることにより、カメラ側バヨネット爪とアクセサリ側バヨネット爪とが係合してアクセサリ側マウントとの結合を完了する第２の状態となる。アクセサリ側マウントに設けられたアクセサリ側接点保持部は、アクセサリ側およびカメラ側マウントの相対回転方向に配置された複数のアクセサリ側接点面を保持し、カメラ側マウントに設けられたカメラ側接点保持部は、相対回転方向に配置された複数のカメラ側接点ピンを突出引込み方向に移動可能に保持し、第２の状態において、複数のカメラ側接点ピンと複数のアクセサリ側接点面とが接触することで該カメラとカメラアクセサリとが電気的に接続されるようになっている。複数のカメラ側接点ピンは、第１の状態においてアクセサリ側接点面を含むアクセサリ側接点保持部に当接する第１のカメラ側接点ピンと、第１の状態においてアクセサリ側接点面を含むアクセサリ側接点保持部に当接しない複数の第２のカメラ側接点ピンとを含み、相対回転方向において、第１のカメラ側接点ピンとこれに隣り合う第２のカメラ側接点ピンとの間のピッチが、互いに隣り合う第２のカメラ側接点ピン間のピッチよりも大きいことを特徴とする。
【手続補正６】
【補正対象書類名】明細書
【補正対象項目名】００１２
【補正方法】変更
【補正の内容】
【００１２】
さらに、本発明の他の一側面としてのカメラは、カメラアクセサリに設けられたアクセサリ側マウントが取り外し可能に結合されるカメラ側マウントを有する。該カメラにおいて、カメラ側マウントは、複数のカメラ側バヨネット爪を有し、該複数のカメラ側バヨネット爪の間にアクセサリ側マウントに設けられたアクセサリ側バヨネット爪が挿入された第１の状態からアクセサリ側マウントと相対回転されることにより、カメラ側バヨネット爪とアクセサリ側バヨネット爪とが係合してアクセサリ側マウントとの結合を完了する第２の状態となる。アクセサリ側マウントに設けられたアクセサリ側接点保持部は、アクセサリ側およびカメラ側マウントの相対回転方向に配置された複数のアクセサリ側接点面を保持し、カメラ側マウントに設けられたカメラ側接点保持部は、相対回転方向に配置された複数のカメラ側接点ピンを突出引込み方向に移動可能に保持し、第２の状態において、複数のカメラ側接点ピンと複数のアクセサリ側接点面とが接触することで該カメラとカメラアクセサリとが電気的に接続されるようになっている。複数のカメラ側接点ピンは、第１の状態においてアクセサリ側接点面を含めたアクセサリ側接点保持部に当接する第１のカメラ側接点ピンと、第１の状態においてアクセサリ側接点面を含むアクセサリ側接点保持部に当接しない複数の第２のカメラ側接点ピンとを含み、複数のアクセサリ側接点面は、第２の状態において第１のカメラ側接点ピンに接触する第１のアクセサリ側接点面と、第２の状態において第１のカメラ側接点ピンに接触しない第２のアクセサリ側接点面とを含み、カメラ側マウントは、相対回転方向において第１のアクセサリ側接点面とこれに隣り合う第２のアクセサリ側接点面との間の間隔が互いに隣り合う第２のアクセサリ側接点面との間の間隔よりも大きい前記アクセサリ側マウント、および相対回転方向において第１のアクセサリ側接点面の幅が第２のアクセサリ側接点面の幅よりも大きい前記アクセサリ側マウントのうち少なくとも一方に結合されることを特徴とする。